(57)【要約】      （修正有）【課題】簡単な工事で既存のプール内に設置できると共に、利用者も変化に富んだ滑降を簡単に繰り返すことが可能な滑降遊具を提供する。【解決手段】プール12と、プール12内に設置されたドーム状本体14と、ドーム状本体14の空洞部22内に圧縮空気を供給する給気管28と、圧縮空気を生成する送風機と、ドーム状本体14の表面に水流を形成するための放水ノズル18とを備え、ドーム状本体14の裾部14a内には、第１の連通用桝34、連通管38及び第２の連通用桝36を介してプール12内の水がプール12と同水準まで充填されているプール内滑降遊具。【選択図】図２
2014087437.tif 000002
【特許請求の範囲】
【請求項１】
プールと、
このプール内に設置されたドーム状本体と、
このドーム状本体の空洞部内に圧縮空気を供給する給気管と、
上記圧縮空気を生成する送風機と、
上記ドーム状本体の表面に水流を形成する放水ノズルとを備え、
上記ドーム状本体の裾部内には、連通手段を介してプール内の水がプールと同水準まで充填されていることを特徴とするプール内滑降遊具。
【請求項２】
上記ドーム状本体の空洞部内に配置された空気圧センサと、
上記給気管の途中に介装された電磁バルブと、
上記空気圧センサ及び電磁バルブと接続された制御部とを備え、
この制御部は、上記空気圧センサからの出力信号に基づいて上記空洞部内の空気圧を算出する処理と、この空気圧が所定の上限値を上回った時点で、上記電磁バルブに制御信号を出力してその開度を狭めると共に、同空気圧が所定の下限値を下回った時点で、上記電磁バルブに制御信号を出力してその開度を広げる処理を実行することを特徴とする請求項１に記載のプール内滑降遊具。
【請求項３】
上記ドーム状本体の表面には、複数の登坂グリップが形成されていることを特徴とする請求項１または２に記載のプール内滑降遊具。
【発明の詳細な説明】
【技術分野】
【０００１】
この発明はプール内滑降遊具に係り、特に、既設のプール内に設置可能なドーム状の滑降遊具に関する。
【背景技術】
【０００２】
従来、水着を着用した状態での滑降遊具として、所謂「ウォータースライド」が知られている。
これは、特許文献１に示すように、高所から低所に向けて設置されたコース上に水を流し、水着を着用した利用者が水流に乗って滑降するものであり、スピード感やスリルを楽しむことができる。
【０００３】
【特許文献１】特開昭６０−６０８７２
【発明の開示】
【発明が解決しようとする課題】
【０００４】
しかしながら、このウォータースライドの場合には、設置のために比較的広いスペースを要するのみならず、大がかりな工事が必要となり、建設費用が高額化するという問題があった。
また、利用者にとっても、スライド内の画一的なコースを辿る単調な滑降しかできず、また滑降する度に着水プールから上がってスタート地点まで階段を昇る必要があり、遊びに集中できないという問題があった。
【０００５】
この発明は、このような従来の問題を解決するために案出されたものであり、簡単な工事で既存のプール内に設置できると共に、利用者も都度ワンパターンではなく多彩な滑降を選択でき、しかも簡単に滑降を繰り返すことが可能な滑降遊具を提供することを目的としている。
【課題を解決するための手段】
【０００６】
上記の目的を達成するため、請求項１に記載のプール内滑降遊具は、プールと、このプール内に設置されたドーム状本体と、このドーム状本体の空洞部内に圧縮空気を供給する給気管と、上記圧縮空気を生成する送風機と、上記ドーム状本体の表面に水流を形成する放水ノズルとを備え、上記ドーム状本体の裾部内には、連通手段を介してプール内の水がプールと同水準まで充填されていることを特徴としている。
【０００７】
請求項２に記載のプール内滑降遊具は、請求項１のプール内滑降遊具であって、さらに、上記ドーム状本体の空洞部内に配置された空気圧センサと、上記給気管の途中に介装された電磁バルブと、上記空気圧センサ及び電磁バルブと接続された制御部とを備え、この制御部は、上記空気圧センサからの出力信号に基づいて上記空洞部内の空気圧を算出する処理と、この空気圧が所定の上限値を上回った時点で、上記電磁バルブに制御信号を出力してその開度を狭めると共に、同空気圧が所定の下限値を下回った時点で、上記電磁バルブに制御信号を出力してその開度を広げる処理を実行することを特徴としている。
【０００８】
請求項３に記載のプール内滑降遊具は、請求項１または２のプール内滑降遊具であって、さらに、上記ドーム状本体の表面に複数の登坂グリップが形成されていることを特徴としている。
【発明の効果】
【０００９】
この発明に係るプール内滑降遊具の場合、ドーム状本体の空洞部内に圧縮空気が供給され、その内側からの圧力によってドーム状本体が膨張すると共に、その表面には放水ノズルによって水流が形成されるため、ドーム状本体の頂部からプールの水面に向けて滑降可能な状態となる。このドーム状本体は通常のプール内に設置されるため、利用者は何度も容易に上り下りができ、遊びの連続性が確保されると共に、多彩なパターンでの滑降や表面上でのトランポリン運動等を自由に楽しむことが可能となる。
また、特別に広い設置スペースを確保する必要もなく、ドーム状本体や送風機、放水ノズルの設置工事、あるいは配管工事といった必要最小限の工事で導入可能であるため、従来のウォータースライドに比べ、イニシャルコストを大幅に低減することができる。
【発明を実施するための最良の形態】
【００１０】
図１は、この発明に係るプール内滑降遊具10の全体構成を示す模式図であり、子ども用の比較的浅い遊泳用プール12内に設置されたドーム状本体14と、プールサイド16に設置された放水ノズル18とからなる。
図示の通り、ドーム状本体14の裾部（下部）14aはプール12の水面下に配置されており、中腹部14b及び頂部14cが水面上に露出している。
図においては一対の放水ノズル18のみが表されているが、実際には４つの放水ノズル18が設けられている。ただし、放水ノズル18の数に限定はなく、少なくとも一つの放水ノズル18があれば足りる。
【００１１】
ドーム状本体14は、丈夫でソフトな膜構造のPVC（ポリ塩化ビニル）よりなり、上記放水ノズル18から供給される水が頂部14cから裾部14aに向かって常時流れて水膜を形成しているため、その表面は滑りやすい状態となっている。
このドーム状本体14の表面には、樹脂製の複数の登坂グリップ20が取り付けられているため、利用者はこの登坂グリップ20に手や足を掛けて頂部14cまで登り、そこからプール12の水面に向けて滑降することができる。
【００１２】
図２は、プール内滑降遊具10の内部構造を示す断面図であり、ドーム状本体14の裾部14a内にプール12の水が充填されると共に、中腹部14b及び頂部14c内にはプール12の水が充填されることなく、空洞部22が形成されている様子が描かれている。
ドーム状本体14内の水面αとプール12の水面βは、同一レベル（例えば水深４５cm）に保たれている。
【００１３】
ドーム状本体14の下端は、円周に沿ってプール12の底面に配置された複数の固定金具24及び複数のボルト（図示省略）を介して、プール12の底面に固定されている。なお、固定金具24の角部には面取り加工が適切に施されているため、利用者を傷付ける危険性はない。
【００１４】
プール12の底面の内部には配管スペース26が設けられており、この配管スペース26内には給気管28が配置されている。
この給気管28の先端部28aはプール底面から垂直に立設され、空洞部22内に到達している。この給気管28の先端部28aはＵ字形状に湾曲し、その開口部は水面側に向けられている。
【００１５】
上記空洞部22内には空気圧センサ30が設置されており、空洞部22内の空気圧を常時検出している。この空気圧センサ30のケーブル32は、上記配管スペース26内に配置され、給気管28と共に外部に取り出されている。
【００１６】
ドーム状本体14内におけるプール12の底面には、第１の連通用桝34が形成されると共に、ドーム状本体14外におけるプール12の底面には、第２の連通用桝36が形成されており、第１の連通用桝34と第２の連通用桝36との間は、連通管38を介して連通接続されている。
図においては一組の連通手段（第１の連通用桝34、第２の連通用桝36、連通管38）のみが示されているが、複数組の連通手段を設けることが望ましい。
【００１７】
この連通管38を介して、ドーム状本体14の外側と内側との間で水位のバランスが図られている。
一方、プール12に元から備えられた濾過設備（図示省略）を介してドーム状本体14の外部に濾過水が供給されると同時に、図示しない循環配管を介してドーム状本体14内にも上記濾過設備によって生成された濾過水が供給されるため、ドーム状本体14内の水が劣化することを有効に防止できる。
【００１８】
上記放水ノズル18の下端部には給水管40が連通接続されており、外部の濾過設備から濾過水が供給される。
【００１９】
図３は、プール12の外部に設けられた付帯設備を示す模式図であり、付帯設備として、ポンプ50と、制御部52と、操作盤54と、送風機56と、電磁バルブ58とを備えている。
ポンプ50は、図示しない濾過設備から供給された濾過水を、給水管40を介して各放水ノズル18に供給する機能を果たす。
送風機56は、吸気口から取り入れた外気を、給気管28を介してドーム状本体14内に供給する機能を果たす。
電磁バルブ58は、給気管28の途中に介装され、空気の流量を調整する機能を果たす。
【００２０】
制御部52は、CPUと、メモリと、外部記憶装置と、駆動回路（ポンプ、送風機及び電磁バルブ用の各駆動回路）を備えており、外部記憶装置内のプログラムをCPUが実行することにより、後述の各種制御機能を発揮する。もちろん、専用のLSIによって制御部52を構成することもできる。
【００２１】
操作盤54には、電源スイッチや各種設定スイッチが設けられており、ケーブルを介して制御部52に接続されている。
また、制御部52には、ケーブルを介して空気圧センサ30が接続されている。
制御部52とポンプ50、送風機56、電磁バルブ58とは、ケーブルを介して接続されている。
【００２２】
ここで、操作盤54の電源スイッチを投入すると、制御部52からポンプ50に駆動信号が出力され、各放水ノズル18からの放水が開始される。
同時に、制御部52から送風機56にも駆動信号が出力され、ドーム状本体14の空洞部22に対して圧縮空気の供給が開始される。この結果、ドーム状本体14の中腹部14b及び頂部14cが空気圧を受けて膨張する。
【００２３】
空気圧センサ30から制御部52に対しては、空洞部22内の空気圧を示す信号が常時出力されている。
そして、この空気圧センサ30からの出力信号に基づいて算出した空気圧が予め設定された値を超えた時点で、制御部52から電磁バルブ58に制御信号が出力され、圧縮空気の供給量が減らされる。
反対に、上記空気圧が予め設定された値を下回った場合には、制御部52から電磁バルブ58に制御信号が出力され、圧縮空気の供給量が増やされる。
【００２４】
以上の結果、ドーム状本体14の空洞部22内の圧力を一定の範囲内に収めることが可能となる。
上記のように、ドーム状本体14の裾部14a内にはプール12内の水がプール12の水面と同一レベルまで充填されているため、送風機56による送風圧力（送風量）が比較的低くても、ドーム状本体14の中腹部14b及び頂部14cに十分な弾力性を付与することが可能となる。
【００２５】
このプール内滑降遊具10の場合、既存のプール12の底面に配管スペース26を設けたり、プールサイドに放水ノズル18を追加したりするなど、比較的小規模な改修工事によって設置することが可能であり、広い設置スペースも不要であるため、導入コストを大幅に低減することができる。
また、プール内滑降遊具10は通常のプール12内に設置され、利用者は何度も容易に上り下りができるため、遊びの連続性が確保される。この際、利用者は足を下に向けて、ドーム状本体14の頂部14cから裾部14aに向けて普通に滑降するのみならず、中腹部14bから斜め下方向に横滑りをしたり、頭を下に向けて滑降したりといった滑りのバリエーションを自由に選択することができる。あるいは、ドーム状本体14の頂部14c付近において、トランポリンのように連続ジャンプを楽しんだり、ジャンプ後そのまま滑降に移行したりすることもできる。
【図面の簡単な説明】
【００２６】
【図１】この発明に係るプール内滑降遊具の全体構成を示す模式図である。
【図２】プール内滑降遊具の内部構造を示す断面図である。
【図３】プールの外部に設けられた付帯設備を示す模式図である。
【符号の説明】
【００２７】
10   プール内滑降遊具
12   プール
14   ドーム状本体
14a  ドーム状本体の裾部
14b  ドーム状本体の中腹部
14c  ドーム状本体の頂部
16   プールサイド
18   放水ノズル
20   登坂グリップ
22   空洞部
24   固定金具
26   配管スペース
28   給気管
28a  給気管の先端部
30   空気圧センサ
32   ケーブル
34   第１の連通用桝
36   第２の連通用桝
38   連通管
40   給水管
50   ポンプ
52   制御部
54   操作盤
56   送風機
58   電磁バルブ
【図１】
2014087437.tif 000003
【図２】
2014087437.tif 000004
【図３】
2014087437.tif 000005